(57)【要約】【課題】照射光を用いて撮像する際における画像品質を、より良好なものにすることのできる撮像システムを提供すること。【解決手段】照明装置３と携帯型撮像装置２との間で通信する撮像システム１であって、携帯型撮像装置２は、記憶部１７と制御部１８とを有し、照明装置３は、媒体６を載置可能な媒体載置面５に配置されるベース部２１から上方に延在するアーム部２２と、アーム部２２から媒体載置面５に対向して延在するトップ部２３と、トップ部２３に設けられ、携帯型撮像装置２を載置する撮像装置載置部３０と、媒体載置面５を照射し、且つ、明滅状態を変更可能な照明部２６と、を有し、記憶部１７は、明滅状態の設定値を記憶可能になっており、制御部１８は、照明装置３と携帯型撮像装置２との間で通信が確立され、且つ、照明装置３の制御を行うことが可能な状態となると、記憶部１７に記憶されている明滅状態の設定値に基づいて照明部２６を制御する。【選択図】図５
2015213215.tif 000002
【特許請求の範囲】
【請求項１】
照明装置と携帯端末とを有し、前記照明装置と前記携帯端末との間で通信する撮像システムであって、
前記携帯端末は、
撮像部と、
前記撮像部により撮像された画像を記憶する記憶部と、
前記携帯端末を制御する制御部と、
を有し、
前記照明装置は、
媒体を載置可能な媒体載置面に配置されるベース部と、
前記ベース部から上方に延在するアーム部と、
前記アーム部から前記媒体載置面に対向して延在するトップ部と、
前記トップ部に設けられ、前記撮像部が前記媒体載置面を撮像可能に前記携帯端末を載置する端末載置面と、
前記媒体載置面を照射し、且つ、明滅状態を変更可能な照明部と、
を有し、
前記記憶部は、前記明滅状態の設定値を記憶可能になっており、
前記制御部は、前記照明装置と前記携帯端末との間で通信が確立され、且つ、前記照明装置の制御を行うことが可能な状態となると、前記記憶部に記憶されている前記明滅状態の設定値に基づいて前記照明部を制御することを特徴とする撮像システム。
【請求項２】
前記携帯端末は、任意の情報を表示すると共に、ユーザによる接触操作に応じた操作信号を出力するタッチパネル表示部を有し、
前記制御部は、前記照明装置の制御を行うことが可能な状態になると、前記タッチパネル表示部に、前記明滅状態を変更するための操作アイコンを表示させ、前記操作アイコンに対応するユーザの接触操作に応じて、前記照明部の前記明滅状態を変更する請求項１に記載の撮像システム。
【請求項３】
前記記憶部は、前記操作アイコンに対応するユーザの接触操作に応じて変更した前記照明部の前記明滅状態を、前記明滅状態の設定値として記憶する請求項２に記載の撮像システム。
【発明の詳細な説明】
【技術分野】
【０００１】
本発明は、撮像システムに関する。
【背景技術】
【０００２】
近年、携帯型撮像装置の普及により、手軽に画像を撮像する機会が増加しているが、室内で撮像を行う場合は、主に照明装置からの光を用いて撮像することになる。このため、照明装置からの光は、画像の撮像時には一定の明るさになるように照射されるのが好ましいが、従来の照明装置の中には、携帯型撮像装置等の情報端末機器との間で通信を行うことにより、照明装置から照射される光による明るさが、所定の明るさになるようにしているものがある（例えば、特許文献１）。
【先行技術文献】
【特許文献】
【０００３】
【特許文献１】特開２０１３−１９１３８０号公報
【発明の概要】
【発明が解決しようとする課題】
【０００４】
しかしながら、携帯型撮像装置と照明装置との間で通信を行うことによって照明装置から照射される光を調節する場合でも、明るさはユーザの好みによって異なることがあり、画像を撮像した際に、明るさに起因する画像品質が、ユーザによって異なることがある。この場合、照明装置から照射される光が、設定された一つの明るさで照射されると、この光を用いて撮像した画像は、ユーザの好みのものではなくなるため、画像品質が低下することになる。このため、照明装置からユーザの好みに応じた光を照射して適切な画像品質を確保することは、大変困難なものとなっていた。
【０００５】
本発明は、上記に鑑みてなされたものであって、照射光を用いて撮像する際における画像品質を、より良好なものにすることのできる撮像システムを提供することを目的とする。
【課題を解決するための手段】
【０００６】
上述した課題を解決するために、本発明に係る撮像システムは、照明装置と携帯端末とを有し、前記照明装置と前記携帯端末との間で通信する撮像システムであって、前記携帯端末は、撮像部と、前記撮像部により撮像された画像を記憶する記憶部と、前記携帯端末を制御する制御部と、を有し、前記照明装置は、媒体を載置可能な媒体載置面に配置されるベース部と、前記ベース部から上方に延在するアーム部と、前記アーム部から前記媒体載置面に対向して延在するトップ部と、前記トップ部に設けられ、前記撮像部が前記媒体載置面を撮像可能に前記携帯端末を載置する端末載置面と、前記媒体載置面を照射し、且つ、明滅状態を変更可能な照明部と、を有し、前記記憶部は、前記明滅状態の設定値を記憶可能になっており、前記制御部は、前記照明装置と前記携帯端末との間で通信が確立され、且つ、前記照明装置の制御を行うことが可能な状態となると、前記記憶部に記憶されている前記明滅状態の設定値に基づいて前記照明部を制御する。
【発明の効果】
【０００７】
本発明に係る撮像システムは、照射光を用いて撮像する際における画像品質を、より良好なものにすることができる、という効果を奏する。
【図面の簡単な説明】
【０００８】
【図１】図１は、実施形態に係る撮像システムの概略構成を示す斜視図である。
【図２】図２は、図１に示す撮像システムの側面図である。
【図３】図３は、図２のＡ−Ａ矢視図である。
【図４】図４は、図１に示す照明装置の斜視図である。
【図５】図５は、図１に示す撮像システムの機能ブロック図である。
【図６】図６は、明るさのフィードバックを行う際の説明図である。
【図７】図７は、携帯型撮像装置を撮像装置載置部に載置せずに照明装置の制御を行う際の説明図である。
【図８】図８は、携帯型撮像装置で照明装置の制御を行う際のタッチパネル表示部の表示状態を示す説明図である。
【図９】図９は、図８に示す設定アイコンが選択された場合の説明図である。
【図１０】図１０は、図８に示すライト調節アイコンが選択された場合の説明図である。
【図１１】図１１は、図８に示すスキャンアイコンが選択された場合の説明図である。
【図１２】図１２は、図１１に示す撮像画像を補正した状態を示す説明図である。
【図１３】図１３は、図１１に示す撮像画像のクロッピングの編集を行う場合の説明図である。
【発明を実施するための形態】
【０００９】
以下に、本発明に係る撮像システムの実施形態を図面に基づいて詳細に説明する。なお、この実施形態によりこの発明が限定されるものではない。また、下記実施形態における構成要素には、当業者が置換可能、且つ、容易なもの、或いは実質的に同一のものが含まれる。
【００１０】
〔実施形態〕
図１は、実施形態に係る撮像システムの概略構成を示す斜視図である。図２は、図１に示す撮像システムの側面図である。図１、図２に示す撮像システム１は、媒体載置面５上に載置された読取対象の媒体６に対して、所定の撮像手段により上方から撮像して、媒体６の画像データを生成するスキャン動作を行うスキャナシステムである。本実施形態では、撮像手段としては、カメラ機能を有する携帯端末である携帯型撮像装置２が使用される。この携帯型撮像装置２は、例えば、カメラ機能を有するスマートフォンが用いられる。
【００１１】
本実施形態に係る撮像システム１は、携帯型撮像装置２と、携帯型撮像装置２で撮像することによってスキャンを行う際に、この携帯型撮像装置２を載置することができる照明装置３とを備える。撮像システム１は、携帯型撮像装置２を照明装置３の所定位置（後述する撮像装置載置部３０上）に載置した状態で、携帯型撮像装置２によって所定の撮影領域７のスキャン画像を取得することができる。なお、以下の説明では、図１の上下方向を撮像システム１及び照明装置３の上下方向、図１の手前側を撮像システム１及び照明装置３の前方向、図１の奥側を撮像システム１及び照明装置３の後方向とする。
【００１２】
携帯型撮像装置２は、略長方形の板状の形状で形成されており、その背面にカメラ機能に係る撮像部１０が設けられている。撮像部１０は、携帯型撮像装置２の制御部１８（図５参照）からの操作指令に応じて、スキャン動作を実行することができる。撮像部１０は、携帯型撮像装置２が照明装置３の撮像装置載置部３０に載置された状態では、所定の撮影領域７の全体を撮像することができ、撮影領域７の全体を含むスキャン画像を生成することができる。
【００１３】
また、携帯型撮像装置２には、撮像部１０が設けられている側の面の反対側の面に、各種情報を表示するタッチパネル表示部１１が設けられている。このタッチパネル表示部１１は、携帯型撮像装置２の操作時における各種情報や、撮像部１０で撮影を行う際の画像情報等を表示する。また、タッチパネル表示部１１は、これらのように任意の情報を表示すると共に、ユーザによる接触操作に応じた操作信号を出力することが可能になっている。
【００１４】
照明装置３は、ベース部２１、アーム部２２及びトップ部２３の３つの部材を備えている。このうちベース部２１は、媒体載置面５上に配置される。アーム部２２は、ベース部２１の上面に接続され、ベース部２１から上方に延在する。なお、アーム部２２の延在方向は、図１、図２に示すように鉛直上方から前方向（媒体６が設置される側）へ傾斜する方向でもよいし、後方向（媒体６が設置される側の反対側）へ傾斜する方向でもよく、または鉛直上方でもよい。
【００１５】
トップ部２３は、アーム部２２に接続され、アーム部２２から媒体載置面５に対向して延在する。本実施形態では、図２に示すように、トップ部２３は、アーム部２２の上端部に接続され、アーム部２２と接続する高さ位置から前方に延在し、且つ、水平より斜め上方に向かって延在している。
【００１６】
照明装置３のベース部２１、アーム部２２及びトップ部２３は、相互に一体的に固定されている。言い換えると、ベース部２１とアーム部２２との接続部分と、アーム部２２とトップ部２３との接続部分は、回転、脱着、移動などの変形ができないよう固設されている。
【００１７】
図３は、図２のＡ−Ａ矢視図である。照明装置３のトップ部２３の媒体載置面５と対向する下面には、媒体載置面５を照射する照明部２６が設けられている。この照明部２６は、媒体載置面５に光を照射することにより媒体載置面５を明るく照らす光源として、白色ＬＥＤ（Ｌｉｇｈｔ  Ｅｍｉｔｔｉｎｇ  Ｄｉｏｄｅ）２７と暖色ＬＥＤ２８とを有している。このうち、白色ＬＥＤ２７は、発光時に白色光を照射する光源になっており、暖色ＬＥＤ２８は、発光時にオレンジ色の光等の暖色光を照射する光源になっている。これらの白色ＬＥＤ２７と暖色ＬＥＤ２８とは、発光時の照射範囲８が、携帯型撮像装置２の撮影領域７と概ね等しく、撮影領域７を満遍なく明るくできるように、共にトップ部２３の下面に配設されている。
【００１８】
図４は、図１に示す照明装置の斜視図である。照明装置３のトップ部２３の上面２４には、媒体載置面５に載置された媒体６を撮像可能な位置に携帯型撮像装置２を載置するための端末載置面である撮像装置載置部３０が設けられている。撮像装置載置部３０は、前方から後方に向かうに従って下方に向かう方向の後ろ下がりに傾斜する平面によって形成されている。この撮像装置載置部３０は、撮像部１０が媒体載置面５を撮像可能に携帯型撮像装置２を載置することができるように形成されている。
【００１９】
また、トップ部２３における撮像装置載置部３０の後端側、即ち、撮像装置載置部３０の前後方向におけるアーム部２２が位置している側の端部側には、撮像装置載置部３０に載置した携帯型撮像装置２の移動を規制する移動規制部２５が設けられている。移動規制部２５は、厚さ方向が略前後方向になり、左右方向に向かって延在する板状の形状で、トップ部２３の左右両端間にかけて上面２４に設けられている。この移動規制部２５の高さは、携帯型撮像装置２を撮像装置載置部３０に載置した場合における携帯型撮像装置２の高さよりも高い高さで形成されている。
【００２０】
撮像システム１は、携帯型撮像装置２を撮像装置載置部３０に載置したときに、携帯型撮像装置２の撮像部１０が、下方の所定の撮影領域７の全体を撮影できる程度に媒体載置面５との間に距離がとれるように、撮像装置載置部３０の設置位置が設定されている。詳しくは、撮像部１０が位置する側の端部が移動規制部２５に当接する状態で撮像装置載置部３０に載置された携帯型撮像装置２の撮影領域７が、照明装置３のベース部２１の前方向に隣接する媒体６を配置する領域と、ベース部２１における前方上面部分とを含むように構成されている。
【００２１】
また、照明装置３のベース部２１の上面には、スキャンスイッチ４０と照明スイッチ４１が設けられている。また、アーム部２２の前面には、電源スイッチ４２が設けられている。これらのスキャンスイッチ４０、照明スイッチ４１、電源スイッチ４２や、照明部２６は、照明装置３の内部に備えられている制御部４５（図５参照）に電気的に接続されている。
【００２２】
なお、スキャンスイッチ４０や照明スイッチ４１は、ベース部２１以外の位置に設けてもよく、電源スイッチ４２も、アーム部２２以外の部分に設けてもよい。また、照明装置３には電源スイッチ４２を設けず、照明装置３が有する差込プラグをコンセントに抜き差しすることにより、照明装置３に通電させるように構成してもよい。
【００２３】
スキャンスイッチ４０は、携帯型撮像装置２にスキャン動作を実行させるスキャン操作の指示をユーザから受け付ける入力手段であり、即ち、撮像部１０の撮像開始を指示する撮像指示部として設けられている。また、照明スイッチ４１は、照明部２６の点灯と消灯とを切り替える際の入力手段になっている。また、電源スイッチ４２は、外部電源４８（図５参照）と照明装置３との間の通電と遮断とを切り替えるスイッチになっている。
【００２４】
図５は、図１に示す撮像システムの機能ブロック図である。照明装置３と共に撮像システム１を構成する携帯型撮像装置２は、撮像部１０と、タッチパネル表示部１１と、通信部１５と、記憶部１７と、制御部１８とを備える。撮像部１０と、タッチパネル表示部１１と、通信部１５と、記憶部１７は、制御部１８に電気的に接続されている。
【００２５】
通信部１５は、照明装置３との間で通信を行うことが可能になっており、例えば、Ｂｌｕｅｔｏｏｔｈ（登録商標）によって無線通信を行う。照明装置３との間の通信は、Ｂｌｕｅｔｏｏｔｈ以外の手法によって行ってもよく、ＮＦＣ（Ｎｅａｒ  Ｆｉｅｌｄ  Ｃｏｍｍｕｎｉｃａｔｉｏｎ）や赤外線通信等、撮像装置載置部３０に載置された携帯型撮像装置２と照明装置３との間で、無線で通信を行うことができる手法であれば、その手法は問わない。
【００２６】
記憶部１７は、撮像部１０により撮像された画像等を記憶する記憶装置である。制御部１８は、通信部１５での照明装置３との通信時や、撮像部１０での撮像時等に、各種の演算処理を行うことにより、携帯型撮像装置２の各部を制御する。制御部１８は、例えば、傾斜しているトップ部２３の撮像装置載置部３０に載置された携帯型撮像装置２の撮像部１０によって、媒体載置面５の媒体６を斜め上方から撮像した媒体６の画像を、垂直方向上方から媒体６を撮像した画像になるように、画像処理を行う。
【００２７】
一方、照明装置３は、照明部２６と、スキャンスイッチ４０と、照明スイッチ４１と、電源スイッチ４２と、通信部４４と、制御部４５とを備えている。照明部２６と、スキャンスイッチ４０と、照明スイッチ４１と、電源スイッチ４２と、通信部４４は、制御部４５に電気的に接続されている。
【００２８】
照明部２６は、照明部２６が有する白色ＬＥＤ２７と暖色ＬＥＤ２８との点灯時における光量を、それぞれ独立して変更することが可能になっている。このため、これにより、照明部２６は、当該照明部２６から照射する照射光の光量や色等の明滅状態を変更することが可能になっている。具体的には、照明部２６が有する白色ＬＥＤ２７と暖色ＬＥＤ２８は、ＰＷＭ（Ｐｕｌｓｅ  Ｗｉｄｔｈ  Ｍｏｄｕｌａｔｉｏｎ）制御によって光量を調節することが可能になっており、ＰＷＭ制御のデューティ比を変更することにより、それぞれ光量を調節することが可能になっている。なお、照明部２６は、ＰＷＭ制御以外によって光量を調節することができるように構成されていてもよい。
【００２９】
通信部４４は、携帯型撮像装置２の通信部１５との間で、Ｂｌｕｅｔｏｏｔｈ等によって通信を行うことが可能になっている。携帯型撮像装置２と照明装置３は、双方の通信部１５、４４により、無線通信で通信を行うことが可能になっている。
【００３０】
制御部４５は、スキャンスイッチ４０や照明スイッチ４１への入力操作に応じて照明部２６の駆動制御を行ったり、通信部４４に制御信号を送信したりすることにより、照明部２６が有する白色ＬＥＤ２７及び暖色ＬＥＤ２８の発光制御や、照明装置３と携帯型撮像装置２との間での通信制御を行うことができるように設けられている。
【００３１】
また、電源スイッチ４２は、外部電源４８と制御部４５との間に介在しており、入力操作によって制御部４５と外部電源４８との間の通電（ＯＮ）と遮断（ＯＦＦ）とを切り替えることにより、照明装置３の作動と停止を切り替えることができるようになっている。
【００３２】
本実施形態に係る撮像システム１は、以上のごとき構成からなり、以下、その作用について説明する。撮像システム１を構成する照明装置３は、通常は照明スタンドとして利用される。照明装置３を照明スタンドとして利用する際には、電源スイッチ４２をＯＮの状態で、照明スイッチ４１に対して押圧操作を行う等の入力操作を行う。この照明スイッチ４１に対する入力は、明確に押すこと以外でもよく、照明スイッチ４１の形態に応じて、照明スイッチ４１をタップしたり、照明スイッチ４１に触れたり（タッチしたり）するようにしてもよい。
【００３３】
照明スイッチ４１が押されたことを認識した制御部４５は、照明部２６を点灯させる。これにより、照明部２６は、白色ＬＥＤ２７や暖色ＬＥＤ２８によって照射範囲８に対して照射を行い、照明装置３は、照明部２６からの照射光によって、トップ部２３の下方を明るくすることができる。点灯状態の照明部２６を消灯する際には、照明部２６が点灯している状態で、照明スイッチ４１に対して押圧操作を行う等の入力操作を行う。これにより、制御部４５は照明部２６を消灯させる。
【００３４】
また、本実施形態に係る撮像システム１は、照明装置３を照明スタンドとして使用するのみでなく、照明装置３に携帯型撮像装置２をセットすることにより、媒体載置面５に載置された媒体６を携帯型撮像装置２で読み取り、媒体６のスキャンを行うことが可能になっている。撮像システム１での媒体６のスキャンについて説明すると、媒体６のスキャンを行う際には、携帯型撮像装置２の撮像部１０が下面側になり、且つ、撮像部１０がトップ部２３から露出し、タッチパネル表示部１１が上面側になる向きで、携帯型撮像装置２をトップ部２３の撮像装置載置部３０に載置する。
【００３５】
携帯型撮像装置２と照明装置３とは、携帯型撮像装置２の通信部１５と照明装置３の通信部４４とで通信を行うことにより、互いに情報の送受信を行うことが可能になっている。また、携帯型撮像装置２は、照明装置３から送信される制御信号を受信することにより、撮像動作を行うことが可能になっている。また、撮像システム１は、スキャンスイッチ４０の押下が、スキャンの開始トリガになっている。即ち、スキャンスイッチ４０のＯＮが、撮像システム１によるスキャンの開始トリガになっている。このため、照明装置３のトップ部２３に載置された携帯型撮像装置２は、照明装置３からのスキャン開始トリガを、通信部１５で受信するまで、待機を続ける。
【００３６】
この状態で、ユーザによって照明装置３のスキャンスイッチ４０が押下されると、照明装置３から携帯型撮像装置２に対してスキャン開始トリガが発信される。このスキャン開始トリガは、照明装置３の通信部４４から発信し、携帯型撮像装置２の通信部１５で受信する。スキャン開始トリガを受信した携帯型撮像装置２は、照明装置３が有する照明部２６の点灯指示を行う。携帯型撮像装置２からの点灯指示を受けた照明装置３は、点灯指示の受信時に照明部２６が点灯状態であった場合には、照明部２６の点灯を維持し、照明部２６が消灯状態であった場合には、照明部２６を点灯させる。
【００３７】
携帯型撮像装置２は、このように照明部２６が点灯している状態で、媒体載置面５における撮影領域７の画像を撮像部１０で撮像することにより、撮影領域７内の媒体６を撮像して、画像データを携帯型撮像装置２の記憶部１７に保存する。これにより、撮像システム１は、自らの照明である照明部２６によって作り出した最適な環境下で、媒体６を撮像して保存し、媒体６のスキャンを行う。このスキャンによって得られた画像データを記憶部１７に保存する際には、携帯型撮像装置２の制御部１８で画像処理を行い、適切な画質に調整された後、記憶部１７で記憶することによって保存する。
【００３８】
なお、これらのように照明装置３の照明部２６の点灯時における照射光を用いて、撮影領域７の画像を撮像部１０で撮像する際には、撮影領域７の照度をフィードバックして照明部２６の制御を行うのが好ましい。図６は、明るさのフィードバックを行う際の説明図である。撮像装置載置部３０に載置された状態での携帯型撮像装置２の撮影領域７は、照明装置３のベース部２１における前方上面部分を含んでいるので、撮像時には、この部分の照度をフィードバックすることにより、撮像時における照明部２６の制御に用いるのが好ましい。
【００３９】
つまり、撮影領域７の実際の照度は、照明部２６から照射される光の光量のみでなく、環境光によっても変化する。このため、撮像部１０で撮像する際には、撮影領域７中のベース部２１の前方上面部分であるフィードバック領域３５の照度を検出し、フィードバック領域３５の照度が所定の範囲内になるように、携帯型撮像装置２の通信部１５から照明装置３の通信部４４に対して、制御信号を送信する。
【００４０】
これにより、照明装置３の制御部４５は、携帯型撮像装置２から送られてきた信号に基づいて、フィードバック領域３５の照度が所定の範囲内になるように、照明部２６の光量を調節する。撮像部１０は、環境光と、このように光量が調節された照明部２６から照射された光とによって照らされることにより、照度が所定の範囲内になった撮影領域７を撮像し、媒体載置面５に載置された媒体６を適切な照度で撮像することができる。
【００４１】
また、撮像システム１は、携帯型撮像装置２を照明装置３の撮像装置載置部３０に載置していない状態であっても、双方で通信を行うことが可能になっている。これにより、ユーザは、撮像装置載置部３０に載置していない状態の携帯型撮像装置２を用いて、照明装置３の制御を行うことが可能になっている。
【００４２】
図７は、携帯型撮像装置を撮像装置載置部に載置せずに照明装置の制御を行う際の説明図である。撮像装置載置部３０に載置していない状態の携帯型撮像装置２を用いて、照明装置３の制御を行う際には、携帯型撮像装置２の記憶部１７に記憶され、撮像システム１の使用時に用いるアプリケーションを起動する。ユーザは、このように撮像システム１用のアプリケーションを起動させた状態で、携帯型撮像装置２を照明装置３に近付ける。具体的には、携帯型撮像装置２の通信部１５と照明装置３の通信部４４との間で通信が可能な距離まで、携帯型撮像装置２を照明装置３に近付ける。これにより、携帯型撮像装置２は、照明装置３との間で通信が可能になる。
【００４３】
図８は、携帯型撮像装置で照明装置の制御を行う際のタッチパネル表示部の表示状態を示す説明図である。撮像システム１用のアプリケーションは、携帯型撮像装置２のタッチパネル表示部１１に操作アイコン５０を表示させ、ユーザがタッチパネル表示部１１に表示された操作アイコン５０に対応する接触操作をタッチパネル表示部１１に対して行うことにより、撮像システム１を作動させることが可能になっている。例えば、アプリケーションのメイン画面では、操作アイコン５０として、各種設定を行う設定アイコン５１と、照明部２６から照射される光の調節を行うライト調節アイコン５２と、媒体６のスキャンを行う際の機能を作動させるスキャンアイコン５３が表示される。ユーザは、タッチパネル表示部１１に対して、これらの操作アイコン５０に対応する接触操作を行うことにより、各機能を作動させる。
【００４４】
図９は、図８に示す設定アイコンが選択された場合の説明図である。メイン画面で設定アイコン５１が選択された場合、撮像システム１の使用時の各種設定を行うことが可能になる。例えば、ユーザが操作をしている携帯型撮像装置２との間で通信を行うことができる距離に、複数の照明装置３が存在する場合に、携帯型撮像装置２との間で通信を行う照明装置３を選択することができる。この選択は、タッチパネル表示部１１に、通信可能な各照明装置３に対応した操作アイコン５０である照明選択アイコン５５が表示され、操作を行おうとしている照明装置３に対応する照明選択アイコン５５に対して接触操作をすることにより、携帯型撮像装置２は、接触操作が行われた照明選択アイコン５５に対応する照明装置３との間で通信を行う。
【００４５】
図１０は、図８に示すライト調節アイコンが選択された場合の説明図である。メイン画面でライト調節アイコン５２が選択された場合、照明装置３が有する照明部２６の明滅状態を設定し、照明部２６を制御することが可能になる。つまり、携帯型撮像装置２の制御部１８は、照明装置３の制御を行うことが可能な状態になると、タッチパネル表示部１１に、明滅状態を変更するための操作アイコン５０を表示させ、操作アイコン５０に対応するユーザの接触操作に応じて、照明部２６の明滅状態を変更することが可能になる。
【００４６】
照明部２６の明滅状態を変更するための操作アイコン５０としては、例えば、入切アイコン６１と、照明色アイコン６２と、明るさアイコン６３とを表示させる。このうち、入切アイコン６１は、照明部２６の点灯と消灯、即ち、照明部２６の入切が可能になっている。また、照明色アイコン６２は、照明部２６が有する白色ＬＥＤ２７と暖色ＬＥＤ２８とのうち、白色ＬＥＤ２７のみを点灯させる、または、暖色ＬＥＤ２８のみを点灯させる、または、双方を点灯させることを選択することが可能になっている。これにより、照明色アイコン６２は、照明部２６の点灯時における照射光の色を選択することが可能になっている。また、明るさアイコン６３は、照明部２６の点灯時における光量を調節することが可能になっており、これにより照明部２６の点灯時における明るさを調節することが可能になっている。
【００４７】
撮像システム１用のアプリケーションは、これらの照明部２６の明滅状態に関する操作アイコン５０に対応するタッチパネル表示部１１への接触操作によって、照明部２６の明滅状態の設定値を変更することができる。携帯型撮像装置２は、照明装置３との間で通信を行うことにより、このように変更した照明部２６の明滅状態の設定値を照明装置３に送信する。携帯型撮像装置２から、照明部２６の明滅状態の設定値を受信した照明装置３の制御部４５は、この設定値に基づいて照明部２６を制御する。これにより、照明部２６の白色ＬＥＤ２７と暖色ＬＥＤ２８は、ＰＷＭ制御によって、設定値に応じた光量で光を照射し、照明部２６の明滅状態に関する操作アイコン５０によって変更された明滅状態になる。
【００４８】
また、携帯型撮像装置２と照明装置３とが通信可能状態で、タッチパネル表示部１１に表示されている操作アイコン５０に対応する接触操作をタッチパネル表示部１１に行うことにより、明滅状態の設定値を変更した場合、変更した設定値は照明装置３に伝達される。これにより、照明部２６の明滅状態は、リアルタイムで変更される。
【００４９】
また、携帯型撮像装置２の記憶部１７は、このように撮像システム１用のアプリケーションによって変更することができる照明部２６の明滅状態の設定値を記憶可能になっている。このため、記憶部１７は、操作アイコン５０に対応するユーザの接触操作に応じて変更した照明部２６の明滅状態を、明滅状態の設定値として逐一記憶する。
【００５０】
また、携帯型撮像装置２は、このように明滅状態の設定値を記憶部１７で記憶することが可能になっているため、携帯型撮像装置２で照明装置３を操作しない状態から、再度照明装置３を操作する状態になったときに、記憶部１７で記憶された設定値で照明部２６を制御する。つまり、携帯型撮像装置２と照明装置３との距離が双方で通信できない距離になったり、撮像システム１用のアプリケーションを終了させたりした後、携帯型撮像装置２で照明装置３の操作が可能になったら、記憶部１７で記憶された設定値で照明部２６を制御する。
【００５１】
具体的には、携帯型撮像装置２の制御部１８は、照明装置３と携帯型撮像装置２との間で通信が確立され、且つ、照明装置３の制御を行うことが可能な状態となると、記憶部１７に記憶されている明滅状態の設定値に基づいて、照明部２６を制御する。これにより、例えば照明部２６を消灯した後、照明装置３との間で通信が可能な距離に携帯型撮像装置２を位置させた状態で撮像システム１用のアプリケーションを起動した場合、照明部２６は、携帯型撮像装置２の記憶部１７に記憶されている明滅状態の設定値で制御される。
【００５２】
また、携帯型撮像装置２によって明滅状態の設定値を変更した後、設定値を変更した照明装置３とは異なる照明装置３と携帯型撮像装置２との通信が確立して、当該照明装置３の制御を携帯型撮像装置２によって可能な状態になった場合には、この照明装置３が有する照明部２６も、携帯型撮像装置２の記憶部１７に記憶されている明滅状態の設定値に基づいて制御する。
【００５３】
図１１は、図８に示すスキャンアイコンが選択された場合の説明図である。メイン画面でスキャンアイコン５３が選択された場合、携帯型撮像装置２での媒体６の撮像に関する操作を行うことが可能になる。携帯型撮像装置２での媒体６の撮像は、照明装置３の撮像装置載置部３０に携帯型撮像装置２を載置した状態で行われるため、メイン画面でスキャンアイコン５３が選択された場合には、携帯型撮像装置２は、主に撮像装置載置部３０に載置された状態で使用される。
【００５４】
携帯型撮像装置２は、被写体を撮像するモードになった時には、媒体６の読み取りを行った画像データを記憶部１７に保存する前でも、撮像部１０によって常時撮影領域７を撮像した状態で待機している。この場合、携帯型撮像装置２は、撮像部１０で現在撮像している画像をタッチパネル表示部１１に表示する。このため、被写体を撮像するモードになっている時におけるタッチパネル表示部１１には、現在撮像部１０で撮像している画像が、継続的に表示される。
【００５５】
この状態でユーザがスキャンスイッチ４０を押下した場合には、携帯型撮像装置２は、その時点で撮像部１０によって撮像している画像を、記憶部１７で一時的に記憶する。これにより、携帯型撮像装置２は、照明装置３から照射される照射光によって照射された媒体６の撮像画像６５を取得する。この場合における撮像画像６５は、トップ部２３が水平より斜め上方に向かって延存することに起因して、前後方向における位置によって大きさが異なる画像になる。つまり、撮像部１０は、媒体６を斜め上方から撮像するため、撮像画像６５は、媒体載置面５上でベース部２１寄りの位置から、前方に離れた位置になるに従って、大きさが小さくなる。
【００５６】
図１２は、図１１に示す撮像画像を補正した状態を示す説明図である。携帯型撮像装置２は、制御部１８で撮像画像６５の画像処理を行うことにより、適切な画像に補正する。具体的には、制御部１８は、撮像画像６５のクロッピングを行うことにより、媒体６に対応する画像を切り出し、この切り出した画像に対して、媒体載置面５上でベース部２１寄りの位置から、前方に離れた位置になるに従って大きさが大きくなるように、補正を行う。これにより、補正後の画像である補正画像６６は、媒体６を鉛直方向上方から見た場合と同等の画像になる。携帯型撮像装置２は、この補正画像６６を記憶部１７に記憶することにより、媒体６を撮像した画像を保存する。
【００５７】
また、携帯型撮像装置２は、このように撮像した画像を編集することが可能になっている。例えば、記憶部１７に記憶されている補正画像６６をユーザが視認した時に、画像が明る過ぎたり暗過ぎたりすると感じる場合は、タッチパネル表示部１１に表示される編集用の操作アイコン５０（図示省略）に対応する接触操作を行うことにより、明るさを好みの明るさに変更することができる。この場合、ユーザは、携帯型撮像装置２を撮像装置載置部３０に載置した状態で編集操作を行ってもよく、携帯型撮像装置２を手で持った状態で編集操作を行ってもよい。携帯型撮像装置２は、これらのように編集を行った補正画像６６を、記憶部１７に記憶する。
【００５８】
図１３は、図１１に示す撮像画像のクロッピングの編集を行う場合の説明図である。また、撮像した画像の編集を行う際には、クロッピングでの画像の切り出し方についても編集することができる。クロッピングの編集を行う際には、撮像システム１用のアプリケーションを、クロッピング編集ができるモードにし、クロップ編集アイコン６７を表示させる。このクロップ編集アイコン６７は、撮像画像６５中においてクロッピングする境界位置、即ち、画像の切り出し位置を調節する操作アイコン５０になっている。ユーザは、このクロップ編集アイコン６７を操作することにより、画像の切り出し位置を調節する。これにより、アプリケーションで行ったクロッピングが適切ではない時でも、媒体６に対応する画像を、撮像画像６５中より適切に切り出すことができる。
【００５９】
以上の実施形態に係る撮像システム１は、照明装置３と携帯型撮像装置２との間で通信が確立され、且つ、照明装置３の制御を行うことが可能な状態となると、携帯型撮像装置２の記憶部１７に記憶されている明滅状態の設定値に基づいて、携帯型撮像装置２の制御部１８によって照明装置３の照明部２６を制御する。これにより、照明装置３の照明部２６からの照射光を用いて携帯型撮像装置２によって媒体６を撮像する際に、予め設定された明滅状態で照明部２６を点灯させることができ、所望の明るさで媒体６を照らして撮像することができる。また、照明装置３が複数存在する場合でも、照明装置３に関わらず予め設定された明滅状態で照明部２６を点灯させることができ、所望の明るさで媒体６を照らして撮像することができる。この結果、照射光を用いて撮像する際における画像品質を、より良好なものにすることができる。
【００６０】
また、携帯型撮像装置２の制御部１８は、照明装置３の制御を行うことが可能な状態になると、タッチパネル表示部１１に、照明部２６の明滅状態を変更するための操作アイコン５０を表示させ、操作アイコン５０に対応するユーザの接触操作に応じて、照明部２６の明滅状態を変更する。これにより、ユーザは、タッチパネル表示部１１に表示された操作アイコン５０に従って接触操作をすることにより、容易に照明部２６の明滅状態を切り替えることができる。この結果、照射光を用いて撮像する際における画像品質を、より確実に良好なものにすることができる。
【００６１】
また、ユーザの操作によって変更した照明部２６の明滅状態を、明滅状態の設定値として携帯型撮像装置２の記憶部１７で記憶するため、照明装置３の使用が完了した後、再度照明装置３を使用する際には、携帯型撮像装置２を照明装置３に近付けて通信が可能な状態にするのみで、ユーザが変更した明滅状態で照明部２６を点灯させることができる。また、照明装置３が複数存在する場合でも、これらの照明装置３に携帯型撮像装置２を近付けて通信が可能な状態にするのみで、記憶部１７に記憶されている明滅状態の設定値に基づいて、照明部２６を制御することができる。これにより、照明装置３が有する照明部２６の明滅状態を、より確実に、且つ、容易に、ユーザが望む状態にすることができる。この結果、照射光を用いて撮像する際における画像品質を、より確実に、且つ、容易に、良好なものにすることができる。
【符号の説明】
【００６２】
１  撮像システム
２  携帯型撮像装置（携帯端末）
３  照明装置
５  媒体載置面
６  媒体
７  撮影領域
８  照射範囲
１０  撮像部
１１  タッチパネル表示部
１５、４４  通信部
１７  記憶部
１８、４５  制御部
２１  ベース部
２２  アーム部
２３  トップ部
２６  照明部
２７  白色ＬＥＤ
２８  暖色ＬＥＤ
３０  撮像装置載置部（端末載置面）
３５  フィードバック領域
４０  スキャンスイッチ
４１  照明スイッチ
５０  操作アイコン
５１  設定アイコン
５２  ライト調節アイコン
５３  スキャンアイコン
５５  照明選択アイコン
６１  入切アイコン
６２  照明色アイコン
６３  明るさアイコン
６５  撮像画像
６６  補正画像
６７  クロップ編集アイコン
【図１】
2015213215.tif 000003
【図２】
2015213215.tif 000004
【図３】
2015213215.tif 000005
【図４】
2015213215.tif 000006
【図５】
2015213215.tif 000007
【図６】
2015213215.tif 000008
【図７】
2015213215.tif 000009
【図８】
2015213215.tif 000010
【図９】
2015213215.tif 000011
【図１０】
2015213215.tif 000012
【図１１】
2015213215.tif 000013
【図１２】
2015213215.tif 000014
【図１３】
2015213215.tif 000015
【手続補正書】
【提出日】平成27年7月23日(2015.7.23)
【手続補正１】
【補正対象書類名】特許請求の範囲
【補正対象項目名】全文
【補正方法】変更
【補正の内容】
【特許請求の範囲】
【請求項１】
照明装置と携帯端末とを有し、前記照明装置と前記携帯端末との間で通信する撮像システムであって、
前記携帯端末は、
撮像部と、
前記撮像部により撮像された画像の画像データを記憶する記憶部と、
前記携帯端末を制御する制御部と、
を有し、
前記照明装置は、
媒体を載置可能な媒体載置面に配置されるベース部と、
前記ベース部から上方に延在するアーム部と、
前記アーム部から前記媒体載置面に対向して延在するトップ部と、
前記トップ部に設けられ、前記撮像部が前記媒体載置面を撮像可能に前記携帯端末を載置する端末載置面と、
前記媒体載置面を照射し、且つ、明滅状態を変更可能な照明部と、
前記携帯端末に前記媒体の前記画像データを生成するスキャン動作を実行させるスキャンスイッチと、
を有し、
前記制御部は、前記撮像部で撮像する際に撮影領域中のフィードバック領域の照度を検出し、
前記記憶部は、前記明滅状態の設定値を記憶可能になっており、
前記制御部は、前記照明装置と前記携帯端末との間で通信が確立され、且つ、前記照明装置の制御を行うことが可能な状態となると、前記記憶部に記憶されている前記明滅状態の設定値に基づき、前記フィードバック領域の照度が所定の範囲内になるように前記照明部を制御し、
前記携帯端末は、前記スキャンスイッチへの入力操作に基づいて前記照明装置から送信される制御信号を受信することにより、前記スキャン動作を実行することを特徴とする撮像システム。
【請求項２】
前記携帯端末は、任意の情報を表示すると共に、ユーザによる接触操作に応じた操作信号を出力するタッチパネル表示部を有し、
前記制御部は、前記照明装置の制御を行うことが可能な状態になると、前記タッチパネル表示部に、前記明滅状態を変更するための操作アイコンを表示させ、前記操作アイコンに対応するユーザの接触操作に応じて、前記照明部の前記明滅状態を変更する請求項１に記載の撮像システム。
【請求項３】
前記記憶部は、前記操作アイコンに対応するユーザの接触操作に応じて変更した前記照明部の前記明滅状態を、前記明滅状態の設定値として記憶する請求項２に記載の撮像システム。